(57)【要約】【課題】  ディスクの記録面が傷付くことを防止できるディスクカートリッジを得る。【解決手段】  シャッター２６、２８は、光ディスク１２の記録面１２Ａに対して中央が凹となる皿状に窪んで形成されている。これにより、光ディスク１２の保持時に光ディスク１２の外周部１２Ｄのみがシャッター２６、２８の外周部２６Ｅ、２８Ｅと接触することとなるので、記録面１２Ａの大部分が非接触状態となり、記録面１２Ａが傷付くのを防止できる。【選択図】      図４
2005116074.tif 000002
【特許請求の範囲】
【請求項１】
レーザ光により情報が再生記録されるディスクの取出し用の開口が表面に形成され、前記ディスクを回転可能に収納するケースと、
前記ケースに形成され、前記ディスクの記録面にレーザを投光可能とする開口部と、
前記ケース内に前記ディスクの記録面に対向して設けられ、スライドして前記開口部を開閉するシャッターと、
前記シャッター側に前記ディスクを押し付けて前記ディスクを保持するディスク保持部と、
を備えたディスクカートリッジにおいて、
前記シャッターが前記ディスクの記録面に対して中央が凹となる皿状に窪んで形成されたことを特徴とするディスクカートリッジ。
【請求項２】
レーザ光により情報が再生記録されるディスクの取出し用の開口が表面に形成され、前記ディスクを回転可能に収納するケースと、
前記ケースに形成され、前記ディスクの記録面にレーザを投光可能とする第１開口部と、
前記ケース内に回転可能に収容され、前記第１開口部と略同一の大きさの第２開口部が形成されたインナロータと、
前記インナロータへ軸で揺動可能に支持され、前記第１開口部及び前記第２開口部を開閉するシャッターと、
前記シャッターに形成されたカム溝と、
前記ケースを構成し前記第１開口部が形成された下シェルから突設され、前記カム溝に係合し、前記インナロータの回転動作により、前記軸を中心に前記シャッターを揺動させるガイド突起と、
前記インナロータ側に前記ディスクを押し付けて前記ディスクを保持するディスク保持部と、
を備えたディスクカートリッジにおいて、
前記インナロータが前記ディスクの記録面に対して中央が凹となる皿状に窪んで形成されたことを特徴とするディスクカートリッジ。
【請求項３】
レーザ光により情報が再生記録されるディスクの取出し用の開口が表面に形成され、前記ディスクを回転可能に収納するケースと、
前記ケースに形成され、前記ディスクの記録面にレーザを投光可能とする開口部と、
前記ケース内に前記ディスクの記録面に対向して設けられ、スライドして前記開口部を開閉するシャッターと、
前記シャッター側に前記ディスクを押し付けて前記ディスクを保持するディスク保持部と、
を備えたディスクカートリッジにおいて、
前記ディスクの記録面が、中央から半径方向に向かって凹状に反っていることを特徴とするディスクカートリッジ。
【請求項４】
レーザ光により情報が再生記録されるディスクの取出し用の開口が表面に形成され、前記ディスクを回転可能に収納するケースと、
前記ケースに形成され、前記ディスクの記録面にレーザを投光可能とする第１開口部と、
前記ケース内に回転可能に収容され、前記第１開口部と略同一の大きさの第２開口部が形成されたインナロータと、
前記インナロータへ軸で揺動可能に支持され、前記第１開口部及び前記第２開口部を開閉するシャッターと、
前記シャッターに形成されたカム溝と、
前記ケースを構成し前記第１開口部が形成された下シェルから突設され、前記カム溝に係合し、前記インナロータの回転動作により、前記軸を中心に前記シャッターを揺動させるガイド突起と、
前記インナロータ側に前記ディスクを押し付けて前記ディスクを保持するディスク保持部と、
を備えたディスクカートリッジにおいて、
前記ディスクの記録面が、中央から半径方向に向かって凹状に反っていることを特徴とするディスクカートリッジ。
【請求項５】
レーザ光により情報が再生記録されるディスクの取出し用の開口が表面に形成され、前記ディスクを回転可能に収納するケースと、
前記ケースに形成され、前記ディスクの記録面にレーザを投光可能とする開口部と、
前記ケース内に前記ディスクの記録面に対向して設けられ、スライドして前記開口部を開閉するシャッターと、
前記シャッター側に前記ディスクを押し付けて前記ディスクを保持するディスク保持部と、
を備えたディスクカートリッジにおいて、
前記ディスクの記録面が、センターホールの外周部の非記録領域に凸状のスタックリブを有することを特徴とするディスクカートリッジ。
【請求項６】
レーザ光により情報が再生記録されるディスクの取出し用の開口が表面に形成され、前記ディスクを回転可能に収納するケースと、
前記ケースに形成され、前記ディスクの記録面にレーザを投光可能とする第１開口部と、
前記ケース内に回転可能に収容され、前記第１開口部と略同一の大きさの第２開口部が形成されたインナロータと、
前記インナロータへ軸で揺動可能に支持され、前記第１開口部及び前記第２開口部を開閉するシャッターと、
前記シャッターに形成されたカム溝と、
前記ケースを構成し前記第１開口部が形成された下シェルから突設され、前記カム溝に係合し、前記インナロータの回転動作により、前記軸を中心に前記シャッターを揺動させるガイド突起と、
前記インナロータ側に前記ディスクを押し付けて前記ディスクを保持するディスク保持部と、
を備えたディスクカートリッジにおいて、
前記ディスクの記録面が、センターホールの外周部の非記録領域に凸状のスタックリブを有することを特徴とするディスクカートリッジ。
【請求項７】
レーザ光により情報が再生記録されるディスクの取出し用の開口が表面に形成され、前記ディスクを回転可能に収納するケースと、
前記ケースに形成され、前記ディスクの記録面にレーザを投光可能とする開口部と、
前記ケース内に前記ディスクの記録面に対向して設けられ、スライドして前記開口部を開閉するシャッターと、
前記シャッター側に前記ディスクを押し付けて前記ディスクを保持するディスク保持部と、
を備えたディスクカートリッジにおいて、
前記シャッターの外周部及び中央部に前記ディスクの外周部とセンターホールの外周部とを支持する凸部を形成したことを特徴とするディスクカートリッジ。
【請求項８】
レーザ光により情報が再生記録されるディスクの取出し用の開口が表面に形成され、前記ディスクを回転可能に収納するケースと、
前記ケースに形成され、前記ディスクの記録面にレーザを投光可能とする第１開口部と、
前記ケース内に回転可能に収容され、前記第１開口部と略同一の大きさの第２開口部が形成されたインナロータと、
前記インナロータへ軸で揺動可能に支持され、前記第１開口部及び前記第２開口部を開閉するシャッターと、
前記シャッターに形成されたカム溝と、
前記ケースを構成し前記第１開口部が形成された下シェルから突設され、前記カム溝に係合し、前記インナロータの回転動作により、前記軸を中心に前記シャッターを揺動させるガイド突起と、
前記インナロータ側に前記ディスクを押し付けて前記ディスクを保持するディスク保持部と、
を備えたディスクカートリッジにおいて、
前記インナロータの外周部及び中央部に前記ディスクの外周部とセンターホールの外周部とを支持する凸部を形成したことを特徴とするディスクカートリッジ。
【請求項９】
レーザ光により情報が再生記録されるディスクの取出し用の開口が表面に形成され、前記ディスクを回転可能に収納するケースと、
前記ケースに形成され、前記ディスクの記録面にレーザを投光可能とする開口部と、
前記ケース内に前記ディスクの記録面に対向して設けられ、スライドして前記開口部を開閉するシャッターと、
前記シャッター側に前記ディスクを押し付けて前記ディスクを保持するディスク保持部と、
を備えたディスクカートリッジにおいて、
前記ケースを構成し、前記開口部が形成された下シェルの外縁部に前記ディスクの外周部を支持する凸部を形成したことを特徴とするディスクカートリッジ。
【発明の詳細な説明】
【技術分野】
【０００１】
本発明は、ディスク取出し用の開口が表面に形成されたディスクカートリッジに関する。
【背景技術】
【０００２】
ディスクカートリッジにおいては、厚みを薄くすると共にディスクの取出しを可能とするために、ディスクの非記録面（レーベル面）側を覆う上シェルに円形状の開口を形成し、ディスクの非記録面（レーベル面）側を露出させるものがある。
【０００３】
このようなディスクカートリッジでは、この開口から埃が侵入しやすいので、ディスク記録面へ埃が付着しないようにディスクを保持固定する提案がなされている。例えば、従来のディスクカートリッジとして、ディスク保持状態においてディスクを厚み方向へ押圧して記録面をケース内のシートやシャッターに面接触させることで、ディスクをケースに保持固定するもの等がある（例えば、特許文献１参照）。
【０００４】
しかし、ディスクの記録面をケース等に面接触させて保持すると、例えば、搬送時における微小な振動やドライブ装置へのディスクカートリッジ脱着時に、ディスクとシャッターとの摺動等により、ディスクの記録面に傷が付きやすい。
【特許文献１】特開２００３−２２８９４８公報
【発明の開示】
【発明が解決しようとする課題】
【０００５】
本発明は、上記事実を考慮して、ディスクの記録面が傷付くことを防止できるディスクカートリッジを提供することを課題とする。
【課題を解決するための手段】
【０００６】
請求項１に記載する本発明のディスクカートリッジは、レーザ光により情報が再生記録されるディスクの取出し用の開口が表面に形成され、前記ディスクを回転可能に収納するケースと、前記ケースに形成され、前記ディスクの記録面にレーザを投光可能とする開口部と、前記ケース内に前記ディスクの記録面に対向して設けられ、スライドして前記開口部を開閉するシャッターと、前記シャッター側に前記ディスクを押し付けて前記ディスクを保持するディスク保持部と、を備えたディスクカートリッジにおいて、前記シャッターが前記ディスクの記録面に対して中央が凹となる皿状に窪んで形成されたことを特徴とする。
【０００７】
請求項１に記載する本発明のディスクカートリッジによれば、ケースがディスクを回転可能に収納している。ケースには、ディスクの記録面にレーザを投光可能とする開口部が形成されており、この開口部は、ディスクカートリッジをドライブ装置に装填したとき、シャッターがスライドすることで開閉される。一方、ディスクカートリッジ不使用時には、ディスク保持部がシャッター側にディスクを押し付けてディスクを保持する。ここで、シャッターは、ディスクの記録面に対して中央が凹となる皿状に窪んで形成されている。これにより、ディスク保持時にディスクの記録面全体が面接触するのではなく、ディスクの外周部（この部分は記録領域として使用されない）のみがシャッターの外周部と接触することとなるので、記録面の大部分が非接触状態となり、記録面が傷付くのを防止できる。
【０００８】
請求項２に記載する本発明のディスクカートリッジは、レーザ光により情報が再生記録されるディスクの取出し用の開口が表面に形成され、前記ディスクを回転可能に収納するケースと、前記ケースに形成され、前記ディスクの記録面にレーザを投光可能とする第１開口部と、前記ケース内に回転可能に収容され、前記第１開口部と略同一の大きさの第２開口部が形成されたインナロータと、前記インナロータへ軸で揺動可能に支持され、前記第１開口部及び前記第２開口部を開閉するシャッターと、前記シャッターに形成されたカム溝と、前記ケースを構成し前記第１開口部が形成された下シェルから突設され、前記カム溝に係合し、前記インナロータの回転動作により、前記軸を中心に前記シャッターを揺動させるガイド突起と、前記インナロータ側に前記ディスクを押し付けて前記ディスクを保持するディスク保持部と、を備えたディスクカートリッジにおいて、前記インナロータが前記ディスクの記録面に対して中央が凹となる皿状に窪んで形成されたことを特徴とする。
【０００９】
請求項２に記載する本発明のディスクカートリッジによれば、ケースがディスクを回転可能に収納している。ケースを構成する下シェルには、ディスクの記録面にレーザを投光可能とする第１開口部が形成されている。シャッターは、インナロータへ軸で揺動可能に支持され、第１開口部及びインナロータに形成された第２開口部を開閉する。すなわち、ディスクカートリッジをドライブ装置に装填すると、インナロータが回転して軸を移動させ、下シェルのガイド突起と係合したカム溝に案内されて軸を中心にシャッターが揺動して第１開口部、第２開口部を開閉する。一方、カートリッジの不使用時には、ディスク保持部がインナロータ側にディスクを押し付けてディスクを保持する。ここで、インナロータは、ディスクの記録面に対して中央が凹となる皿状に窪んで形成されている。これにより、ディスク保持時にディスクの記録面全体が面接触するのではなく、ディスクの外周部のみがインナロータの外周部と接触することとなるので、記録面の大部分が非接触状態となり、記録面が傷付くのを防止できる。
【００１０】
請求項３に記載する本発明のディスクカートリッジは、レーザ光により情報が再生記録されるディスクの取出し用の開口が表面に形成され、前記ディスクを回転可能に収納するケースと、前記ケースに形成され、前記ディスクの記録面にレーザを投光可能とする開口部と、前記ケース内に前記ディスクの記録面に対向して設けられ、スライドして前記開口部を開閉するシャッターと、前記シャッター側に前記ディスクを押し付けて前記ディスクを保持するディスク保持部と、を備えたディスクカートリッジにおいて、前記ディスクの記録面が、中央から半径方向に向かって凹状に反っていることを特徴とする。
【００１１】
請求項３に記載する本発明のディスクカートリッジによれば、ディスクの記録面は、中央から半径方向に向かって凹状に反っているので、ディスクカートリッジ不使用時にディスクが保持された状態では、ディスクの記録面のほぼ全体がシャッター等（ディスクとシャッターとの間に他部材を備える場合には、該他部材）に面接触するのではなく、ディスクの外周部のみが接触することとなる。このため、記録面の大部分が非接触状態となり、記録面が傷付くのを防止できる。
【００１２】
請求項４に記載する本発明のディスクカートリッジは、レーザ光により情報が再生記録されるディスクの取出し用の開口が表面に形成され、前記ディスクを回転可能に収納するケースと、前記ケースに形成され、前記ディスクの記録面にレーザを投光可能とする第１開口部と、前記ケース内に回転可能に収容され、前記第１開口部と略同一の大きさの第２開口部が形成されたインナロータと、前記インナロータへ軸で揺動可能に支持され、前記第１開口部及び前記第２開口部を開閉するシャッターと、前記シャッターに形成されたカム溝と、前記ケースを構成し前記第１開口部が形成された下シェルから突設され、前記カム溝に係合し、前記インナロータの回転動作により、前記軸を中心に前記シャッターを揺動させるガイド突起と、前記インナロータ側に前記ディスクを押し付けて前記ディスクを保持するディスク保持部と、を備えたディスクカートリッジにおいて、前記ディスクの記録面が、中央から半径方向に向かって凹状に反っていることを特徴とする。
【００１３】
請求項４に記載する本発明のディスクカートリッジによれば、ディスクの記録面は、中央から半径方向に向かって凹状に反っているので、ディスクカートリッジ不使用時にディスクが保持された状態では、ディスクの記録面のほぼ全体がインナロータ等（ディスクとインナロータとの間に他部材を備える場合には、該他部材）に面接触するのではなく、ディスクの外周部のみが接触することとなる。このため、記録面の大部分が非接触状態となり、記録面が傷付くのを防止できる。
【００１４】
請求項５に記載する本発明のディスクカートリッジは、レーザ光により情報が再生記録されるディスクの取出し用の開口が表面に形成され、前記ディスクを回転可能に収納するケースと、前記ケースに形成され、前記ディスクの記録面にレーザを投光可能とする開口部と、前記ケース内に前記ディスクの記録面に対向して設けられ、スライドして前記開口部を開閉するシャッターと、前記シャッター側に前記ディスクを押し付けて前記ディスクを保持するディスク保持部と、を備えたディスクカートリッジにおいて、前記ディスクの記録面が、センターホールの外周部の非記録領域に凸状のスタックリブを有することを特徴とする。
【００１５】
請求項５に記載する本発明のディスクカートリッジによれば、ディスクの記録面は、非記録領域に凸状のスタックリブを有するので、ディスクカートリッジ不使用時にディスクが保持された状態では、ディスク記録面のほぼ全体がシャッター（ディスクとシャッターとの間に他部材を備える場合には、該他部材）に面接触するのではなく、ディスクのスタックリブのみが接触することとなる。このため、記録面の記録領域が非接触状態となり、記録面の記録領域が傷付くのを防止できる。
【００１６】
請求項６に記載する本発明のディスクカートリッジは、レーザ光により情報が再生記録されるディスクの取出し用の開口が表面に形成され、前記ディスクを回転可能に収納するケースと、前記ケースに形成され、前記ディスクの記録面にレーザを投光可能とする第１開口部と、前記ケース内に回転可能に収容され、前記第１開口部と略同一の大きさの第２開口部が形成されたインナロータと、前記インナロータへ軸で揺動可能に支持され、前記第１開口部及び前記第２開口部を開閉するシャッターと、前記シャッターに形成されたカム溝と、前記ケースを構成し前記第１開口部が形成された下シェルから突設され、前記カム溝に係合し、前記インナロータの回転動作により、前記軸を中心に前記シャッターを揺動させるガイド突起と、前記インナロータ側に前記ディスクを押し付けて前記ディスクを保持するディスク保持部と、を備えたディスクカートリッジにおいて、前記ディスクの記録面が、センターホールの外周部の非記録領域に凸状のスタックリブを有することを特徴とする。
【００１７】
請求項６に記載する本発明のディスクカートリッジによれば、ディスクの記録面は、非記録領域に凸状のスタックリブを有するので、ディスクカートリッジ不使用時にディスクが保持された状態では、ディスク記録面のほぼ全体がインナロータ（ディスクとシャッターとの間に他部材を備える場合には、該他部材）に面接触するのではなく、ディスクのスタックリブのみが接触することとなる。このため、記録面の記録領域が非接触状態となり、記録面の記録領域が傷付くのを防止できる。
【００１８】
請求項７に記載する本発明のディスクカートリッジは、レーザ光により情報が再生記録されるディスクの取出し用の開口が表面に形成され、前記ディスクを回転可能に収納するケースと、前記ケースに形成され、前記ディスクの記録面にレーザを投光可能とする開口部と、前記ケース内に前記ディスクの記録面に対向して設けられ、スライドして前記開口部を開閉するシャッターと、前記シャッター側に前記ディスクを押し付けて前記ディスクを保持するディスク保持部と、を備えたディスクカートリッジにおいて、前記シャッターの外周部及び中央部に前記ディスクの外周部とセンターホールの外周部とを支持する凸部を形成したことを特徴とする。
【００１９】
請求項７に記載する本発明のディスクカートリッジによれば、シャッターの外周部及び中央部には、ディスクの外周部とセンターホールの外周部とを支持する凸部が形成されている。これにより、ディスクカートリッジ不使用時にディスクが保持された状態では、ディスクの記録面全体が面接触するのではなく、ディスクの外周部及びセンターホールの外周部がシャッターの凸部（外周部及び中央部）に支持されることとなるので、記録面の大部分が非接触状態となり、記録面が傷付くのを防止できる。
【００２０】
請求項８に記載する本発明のディスクカートリッジは、レーザ光により情報が再生記録されるディスクの取出し用の開口が表面に形成され、前記ディスクを回転可能に収納するケースと、前記ケースに形成され、前記ディスクの記録面にレーザを投光可能とする第１開口部と、前記ケース内に回転可能に収容され、前記第１開口部と略同一の大きさの第２開口部が形成されたインナロータと、前記インナロータへ軸で揺動可能に支持され、前記第１開口部及び前記第２開口部を開閉するシャッターと、前記シャッターに形成されたカム溝と、前記ケースを構成し前記第１開口部が形成された下シェルから突設され、前記カム溝に係合し、前記インナロータの回転動作により、前記軸を中心に前記シャッターを揺動させるガイド突起と、前記インナロータ側に前記ディスクを押し付けて前記ディスクを保持するディスク保持部と、を備えたディスクカートリッジにおいて、前記インナロータの外周部及び中央部に前記ディスクの外周部とセンターホールの外周部とを支持する凸部を形成したことを特徴とする。
【００２１】
請求項８に記載する本発明のディスクカートリッジによれば、インナロータの外周部及び中央部には、ディスクの外周部とセンターホールの外周部とを支持する凸部が形成されている。これにより、ディスクカートリッジ不使用時にディスクが保持された状態では、ディスクの記録面全体が面接触するのではなく、ディスクの外周部及びセンターホールの外周部がインナロータの凸部（外周部及び中央部）に支持されることとなるので、記録面の大部分が非接触状態となり、記録面が傷付くのを防止できる。
【００２２】
請求項９に記載する本発明のディスクカートリッジは、レーザ光により情報が再生記録されるディスクの取出し用の開口が表面に形成され、前記ディスクを回転可能に収納するケースと、前記ケースに形成され、前記ディスクの記録面にレーザを投光可能とする開口部と、前記ケース内に前記ディスクの記録面に対向して設けられ、スライドして前記開口部を開閉するシャッターと、前記シャッター側に前記ディスクを押し付けて前記ディスクを保持するディスク保持部と、を備えたディスクカートリッジにおいて、前記ケースを構成し、前記開口部が形成された下シェルの外縁部に前記ディスクの外周部を支持する凸部を形成したことを特徴とする。
【００２３】
請求項９に記載する本発明のディスクカートリッジによれば、ディスクカートリッジ不使用時にディスクが保持された状態では、下シェルの凸部がディスクの外周部を支持するので、記録面の大部分が非接触状態となり、記録面が傷付くのを防止できる。
【発明の効果】
【００２４】
以上説明したように、本発明のディスクカートリッジによれば、ディスクの記録面が傷付くことを防止できるという優れた効果を有する。
【発明を実施するための最良の形態】
【００２５】
本発明におけるディスクカートリッジの実施の形態を図面に基づき説明する。なお、図中の矢印ＦＲ、矢印ＲＥ、矢印ＵＰ及び矢印ＤＷは、それぞれディスクカートリッジ１０のドライブ装置への装填（挿入）方向を向いて見た場合のディスクカートリッジ１０の前方向（装填方向）、後方向、上方向及び下方向を示す。
【００２６】
図１には、本発明の第１の実施形態に係るディスクカートリッジの分解斜視図が示されている。ディスクカートリッジ１０では、ケース１１に記録媒体となる光ディスク１２が収納される。光ディスク１２は、平板の円盤状とされ、中心部にセンターホール１２Ｈが形成されており、片面に記録面１２Ａを備えている。記録面１２Ａと反対側の面は、非記録面としてのレーベル面１２Ｂとされ、文字Ｍ、図形等が印刷されている。光ディスク１２は、レーザ光により情報が再生記録される。
【００２７】
図１に示すように、ケース１１は、光ディスク１２の記録面１２Ａと対向して下シェル１４を有しており、下シェル１４の底面１４Ｕが記録面１２Ａと向かい合っている。この下シェル１４には、開口部１６が形成されている。開口部１６は、収納される光ディスク１２と同芯（中心線Ｃで示す）であって光ディスク１２よりも小径の回転駆動用開口部１６Ａと、この回転駆動用開口部１６Ａから連続して前方（矢印ＦＲ方向）に向かって形成された略四角形状の書込読取用開口部１６Ｂとで構成されている。
【００２８】
ディスクカートリッジ１０が図示しないドライブ装置に装填された状態では、回転駆動用開口部１６Ａからドライブ装置の図示しない回転駆動部材（例えば回転スピンドル軸）が光ディスク１２にアクセスしてセンターホール１２Ｈへ挿入され、光ディスク１２を回転させることができるようになっている。また、書込読取用開口部１６Ｂからは、ドライブ装置の図示しない書込読取部材（例えば記録再生ヘッド）が光ディスク１２にアクセスし、光ディスク１２の記録面１２Ａにレーザを投光することで、光ディスク１２に対して情報の書き込み又は読み取りを行うことが可能とされている。
【００２９】
また、下シェル１４には、図示しないドライブ装置の一対のカートリッジ位置決めピン１００（図３参照）と嵌合してドライブ装置に対するディスクカートリッジ１０の位置決めを行う一対の位置決め孔１４Ａが形成されている。
【００３０】
下シェル１４は、上シェル１８と外縁部で接着又は溶着されてケース１１を構成する。
【００３１】
上シェル１８は、表面（図中では上面）に円形のディスク取出用開口部２０が形成され、開口縁部には、略円筒状のフランジ１８Ｉを備えている。ディスク取出用開口部２０からは、光ディスク１２の出し入れが可能であり、光ディスク１２の収納時には、光ディスク１２のレーベル面１２Ｂが露出する。
【００３２】
また、フランジ１８Ｉと光ディスク１２の外周面１２Ｃとの間には、光ディスク１２が回転可能な程度の隙間が形成される。ケース１１に収納された光ディスク１２は、レーベル面１２Ｂがディスク取出用開口部２０から外部に臨む配置とされている。
【００３３】
上シェル１８と下シェル１４との間には、光ディスク１２を下シェル１４に対して保持又は解放するディスク保持部材２４が取り付けられる。ディスク保持部材２４は、フランジ１８Ｉの切欠部１７からディスク取出用開口部２０の内側に向かってその一部が突出しており、本実施形態では２つ設けられている。
【００３４】
図２に示すように、ディスク保持部材２４は、光ディスク１２の外周上方に向かって傾斜した斜面２４Ａを備えており、斜面２４Ａの先端側には、光ディスク１２の外周上方を覆って張り出すように庇部２４Ｂが形成されている。また、下シェル１４への取付部分には、カギ状に曲げられた板バネ２４Ｃが設けられており、この板バネ２４Ｃが上シェル１８と下シェル１４とで挟まれることで、ディスク保持部材２４の庇部２４Ｂは、光ディスク保持方向（矢印Ａ方向）に付勢されるようになっている。ディスク保持部材２４には、下シェル位置決め孔１４Ａの真上に斜めに貫通した貫通孔２４Ｄが形成されており、図３に示すように、位置決め孔１４Ａからドライブ装置のカートリッジ位置決めピン１００が直に挿入されると、貫通孔２４Ｄにカートリッジ位置決めピン１００が嵌合してディスク保持部材２４の先端側が光ディスク解放方向（矢印Ｂ方向）に持ち上げられ、カム作用で時計方向へ回転する。また、図１に示すように、上シェル１８の前方向（矢印ＦＲ方向）側には、ディスク取出用開口部２０から突出する脱落防止片１８Ａが設けられ、光ディスク１２の外周部上に延出している。
【００３５】
ディスク記録面１２Ａと下シェル底面１４Ｕとの間には、一対のシャッター２６、２８が設けられている。シャッター２６、２８には、後方（矢印ＲＥ方向）側に回動孔２６Ａ、２８Ａが設けられており、これらの回動孔２６Ａ、２８Ａは、下シェル１４の後方（矢印ＲＥ方向）側に形成された一対の回動軸１４Ｂに回動自在にそれぞれ嵌合している。シャッター２６、２８がスライドして回動することで開口部１６を開閉できるようになっている。シャッター２６、２８は、下シェル１４のバネ柱３０、３２に挿入されたシャッターバネ３４、３６によってシャッター２６、２８が閉じる方向に付勢される。
【００３６】
一方のシャッター２８のシャッター回動孔２８Ａ近傍であって一対のシャッター２６、２８が突き合わされる側には、カム２８Ｂが形成され、これに対応して他方のシャッター２６側には、フォロワ２６Ｂが形成されている。カム２８Ｂとフォロワ２６Ｂとは、互いに噛み合う形状を備えており、シャッター２６、２８を互いに連動しながら開閉させる連動機構２５Ｂを構成している。
【００３７】
一方のシャッター２８の前方（矢印ＦＲ方向）側には、シャッター開閉操作部２８Ｃとロック突起部２８Ｄとが一体に形成されている。シャッター開閉操作部２８Ｃにより外部からシャッター２８を閉塞した状態では、下方（矢印ＤＷ方向）に突出したロック突起部２８Ｄが下シェル１４の前方（矢印ＦＲ方向）側に形成されたロック孔１４Ｃに嵌合する。これにより、シャッター２８が下シェル１４に固定され、連結機構２５Ｂにより連結されている他方のシャッター２６も固定されるようになっている。ここで、シャッター閉塞時にシャッター２６、２８の突き合わされる縁部２６Ｆ、２８Ｆには、段差部が形成され、上下方向（矢印ＵＰ、ＤＷ方向）に重ね合わせ可能とされている。
【００３８】
図４は、収納された光ディスク１２が保持されてシャッター２６、２８が閉じた状態であり、図１の４−４線端面に相当する端面図が示されている。図４に示すように、シャッター２６、２８は、光ディスク１２の記録面１２Ａに対して中央が凹となる皿状に窪んで形成されており、シャッター２６、２８の外周部２６Ｅ、２８Ｅが光ディスク１２の記録面１２Ａ側の外周部１２Ｄと当接するようになっている。このため、光ディスク１２の保持状態において、光ディスク１２の記録面１２Ａの大部分は、シャッター２６、２８に面接触していない。
【００３９】
次に、上記の実施形態の作用を説明する。
【００４０】
図１に示すように、ケース１１には、光ディスク１２の記録面１２Ａにレーザを投光可能とする開口部１６が形成されており、この開口部１６は、ディスクカートリッジ１０を図示しないドライブ装置に装填したとき、シャッター２６、２８がスライドすることで開閉される。
【００４１】
一方、ディスクカートリッジ１０の不使用時には、図２に示すように、ディスク保持部材２４がシャッター２６、２８（図１参照）側に光ディスク１２を押し付けて光ディスク１２を保持する。ここで、図４に示すように、シャッター２６、２８は、光ディスク１２の記録面１２Ａに対して中央が凹となる皿状に窪んで形成されている。これにより、光ディスク１２の保持時に光ディスク１２の記録面１２Ａの全体が面接触するのではなく、光ディスク１２の外周部１２Ｄ（この部分は記録領域として使用されない）のみがシャッター２６、２８の外周部２６Ｅ、２８Ｅと接触することとなるので、記録面１２Ａの大部分が非接触状態となり、記録面１２Ａが傷付くのを防止できる。
【００４２】
次に、ディスクカートリッジの第２の実施形態を図５及び図６に基づき説明する。第１の実施形態では、図４に示すように、シャッター２６、２８の外周部２６Ｅ、２８Ｅが光ディスク１２の外周部１２Ｄと当接する場合について説明したが、第２の実施形態は、図５及び図６に示されるインナロータ４２の外周部４２Ｆが光ディスク１２の外周部１２Ｄと当接する形態である。なお、第２の実施形態に係るディスクカートリッジ３８の構成は、シャッター４４、４６を開閉させるインナロータ４２を設け、このインナロータ４２が光ディスク１２の記録面１２Ａに対して中央が凹となる皿状に窪んで形成された点が特徴であり、他の構成については、第１の実施形態とほぼ同様の構成であるので、同一符号を付して説明を省略する。
【００４３】
図５に示すように、下シェル１４の前方（矢印ＦＲ方向）側のコーナ部には、支軸３９が突設されており、この支軸３９にロック部材４０が回動可能に支持されている。ロック部材４０は、後述するインナロータ４２が下シェル１４の開口部１６を閉塞する閉塞位置にあるときに、このインナロータ４２の回転を係止するためのものであり、支軸３９に回動可能に係合する係合孔４０Ａを備えている。この係合孔４０Ａからは、下シェル１４の一方側面に向かって延長された操作片４０Ｂが形成され、下シェル１４の一方側面に形成されたロック用開口部１４Ｄから外部に臨む。また、係合孔４０Ａから光ディスク１２の収納部分に向かっては、ストッパ片４０Ｃが形成されており、インナロータ４２のリング部４２Ａと摺接するようになっている。さらに、係合孔４０Ａから下シェル１４の前方（矢印ＦＲ方向）側の内側面に向かっては、バネ片４０Ｄが形成されており、このバネ片４０Ｄは、弾性変位した状態で下シェル１４の前方（矢印ＦＲ方向）面側の内側面と当接される。
【００４４】
バネ片４０Ｄの弾性力により、操作片４０Ｂは、ロック用開口部１４Ｄから突出する方向に付勢されると共に、ストッパ片４０Ｃは、インナロータ４２のリング部４２Ａに当接する方向に付勢されてインナロータ４２をロックする。ここで、操作片４０Ｂが外部から押圧されれば、バネ片４０Ｄの付勢力に抗してストッパ片４０Ｃがインナロータ４２のリング部４２Ａから離間する方向に移動し、インナロータ４２のロックが解除される。
【００４５】
下シェル１４の底面１４Ｕからは、一対のガイド突起４８、５０が突出して形成されている。一対のシャッター４４、４６には、このガイド突起４８、５０がそれぞれ係合するカム溝４４Ａ、４６Ａが形成されている。カム溝４４Ａ、４６Ａは、シャッター４４、４６が開口部１６の閉塞位置と開放位置との間で揺動されるように所定長さとされている。このシャッター４４、４６のスライドにより、インナロータ４２の開口部４３と下シェル１４の開口部１６とが開閉されるようになっている。カム溝４４Ａ、４６Ａの外周の端部には、係合部４４Ｂ、４６Ｂが形成されており、この係合部４４Ｂ、４６Ｂは、シャッター４４、４６が閉塞位置にあるときに下シェル１４のガイド突起４８、５０が係合される。また、シャッター４４、４６の基端部には、係合孔４４Ｃ、４６Ｃが形成されている。
【００４６】
光ディスク記録面１２Ａと一対のシャッター４４、４６との間には、略円盤状のインナロータ４２が設けられている。インナロータ４２の外周縁部には、略円環状のリング部４２Ａが上方（矢印ＵＰ方向）に立設されており、上シェル１８の下面にてディスク取出用開口部２０の周囲に形成されたガイド溝１８Ｂに係合される。これにより、インナロータ４２は、ケース１１に対して回動可能とされる。インナロータ４２には、下シェル１４に形成された開口部（第１開口部）１６と略同一の大きさの開口部（第２開口部）４３が形成されている。開口部４３の外周側の開放部には、リング部４２Ａの連結部４２Ｂが架け渡されている。
【００４７】
リング部４２Ａの外周面には、ギヤ部４２Ｃが形成され、ギヤ部４２Ｃを動かすことでインナロータ４２を回動させることができる。インナロータ４２の下面には、一対の支軸４２Ｄ、４２Ｅが突出して形成されており、この一対の支軸４２Ｄ、４２Ｅは、インナロータ４２の中心部に対して互いに点対称な位置に配置されている。一対の支軸４２Ｄ、４２Ｅは、シャッター４４、４６の係合孔４４Ｃ、４６Ｃと係合されている。一対のシャッター４４、４６は、支軸４２Ｄ、４２Ｅを中心に揺動可能に支持され、インナロータ４２と共に回動しながらスライドする。
【００４８】
図６に示すように、インナロータ４２は、光ディスク１２の記録面１２Ａに対して中央が凹となる皿状に窪んで形成されており、インナロータ４２のリング部４２Ａよりもやや内側となる外周部４２Ｆが光ディスク１２の記録面１２Ａ側の外周部１２Ｄと当接するようになっている。このため、光ディスク１２の保持状態において、光ディスク１２の記録面１２Ａの大部分は、インナロータ４２に面接触していない。
【００４９】
次に、上記の実施形態の作用を説明する。
【００５０】
図５に示すように、シャッター４４、４６は、インナロータ４２へ支軸４２Ｄ、４２Ｅで揺動可能に支持され、開口部（第１開口部）１６及びインナロータ４２に形成された開口部（第２開口部）４３を開閉する。すなわち、ディスクカートリッジ３８を図示しないドライブ装置に装填すると、ギヤ部４２Ｃがドライブ側の操作部と噛み合い、インナロータ４２を回転させ、支軸４２Ｄ、４２Ｅを移動させる。これにより、下シェル１４のガイド突起４８、５０と係合したカム溝４４Ａ、４６Ａに案内されて支軸４２Ｄ、４２Ｅを中心にシャッター４４、４６が揺動して開口部（第１開口部）１６、開口部（第２開口部）４３を開閉する。
【００５１】
一方、ディスクカートリッジ３８の不使用時には、ディスク保持部材２４がインナロータ４２側に光ディスク１２を押し付けて光ディスク１２を保持する。ここで、図６に示すように、インナロータ４２は、光ディスク１２の記録面１２Ａに対して中央が凹となる皿状に窪んで形成されている。これにより、光ディスク１２の保持時に光ディスク１２の記録面１２Ａ全体が面接触するのではなく、光ディスク１２の外周部１２Ｄのみがインナロータ４２の外周部４２Ｆと接触することとなるので、記録面１２Ａの大部分が非接触状態となり、記録面１２Ａが傷付くのを防止できる。
【００５２】
次に、ディスクカートリッジの第３の実施形態を図７に基づき説明する。第１の実施形態では、図１〜図４に示すように、シャッター２６、２８を光ディスク１２の記録面１２Ａに対して中央が凹となる皿状に窪ませ、光ディスク保持時にシャッター２６、２８の外周部２６Ｅ、２８Ｅを光ディスク記録面１２Ａの外周部１２Ｄと当接させる場合について説明したが、第３の実施形態は、図７に示すように、シャッター５２、５４及び下シェル５６に凸部５２Ａ、５２Ｂ、５４Ａ、５４Ｂ、５６Ａを形成し、光ディスク保持時に光ディスク１２の外周部１２Ｄとセンターホール１２Ｈの外周部の非記録領域とに当接させる形態である。なお、第３の実施形態に係るディスクカートリッジの構成は、シャッター５２、５４及び下シェル５６に光ディスク１２の外周部１２Ｄとセンターホール１２Ｈの外周部の非記録領域とに対向する凸部５２Ａ、５２Ｂ、５４Ａ、５４Ｂ、５６Ａを形成する点が特徴であり、他の構成については、第１の実施形態とほぼ同様の構成であるので、同一符号を付して説明を省略（上シェル１８及びディスク保持部材２４は、図示省略）する。
【００５３】
図７に示すように、下シェル５６の底面１４Ｕの外縁部には、挿入方向（矢印ＦＲ方向）の左右両側に平面視にて円弧状の凸部５６Ａが形成されている。この凸部５６Ａは、シャッター５２、５４のスライドを妨げない範囲にあり、光ディスク１２の保持時には、光ディスク１２の外周部１２Ｄを支持する。
【００５４】
一対のシャッター５２、５４の外周部には、平面視円弧状の凸部５２Ａ、５４Ａが形成されており、光ディスク１２の保持時に光ディスク１２の外周部１２Ｄを支持する。シャッター５２、５４の中央部には、平面視円弧状の凸部５２Ｂ、５４Ｂが形成され、シャッター５２、５４の閉塞時に凸部５２Ｂ、５４Ｂが繋がって平面視円環状となる。この凸部５２Ｂ、５４Ｂは、光ディスク１２の保持時に光ディスク１２のセンターホール１２Ｈの外周部である非記録領域を支持する。
【００５５】
このように、光ディスク１２の保持時に、シャッター５２、５４の凸部５２Ａ、５４Ａ及び下シェル５６の凸部５６Ａが、光ディスク１２の外周部１２Ｄを支持し、シャッター５２、５４の凸部５２Ｂ、５４Ｂがセンターホール１２Ｈの外周部を支持することで、記録面１２Ａ（特に記録領域）の大部分が非接触状態となり、記録面１２Ａが傷付くのを防止できる。
【００５６】
次に、ディスクカートリッジの第４の実施形態を図８に基づき説明する。第２の実施形態では、図６に示すように、インナロータ４２を光ディスク１２の記録面１２Ａに対して中央が凹となる皿状に窪ませ、光ディスク保持時にインナロータ４２の外周部４２Ｆを光ディスク記録面１２Ａの外周部１２Ｄと当接させる場合について説明したが、第４の実施形態は、図８に示すように、インナロータ６０に凸部６０Ａ、６０Ｂを形成し、光ディスク保持時に光ディスク１２の外周部１２Ｄとセンターホール１２Ｈの外周部の非記録領域とに当接させる形態である。なお、第４の実施形態に係るディスクカートリッジの構成は、インナロータ６０に光ディスク１２の外周部１２Ｄとセンターホール１２Ｈの外周部の非記録領域とに対向する凸部６０Ａ、６０Ｂを形成する点が特徴であり、他の構成については、第２の実施形態とほぼ同様の構成であるので、同一符号を付して説明を省略する。
【００５７】
図８に示すように、インナロータ６０のリング部４２Ａよりもやや内側となる外周部には、凸部６０Ａが形成されており、この凸部６０Ａは、光ディスク１２の保持時に光ディスクの外周部１２Ｄを支持する。インナロータ６０の中央部には、開口部４３の円弧部分に沿って凸部６０Ｂが形成されており、この凸部６０Ｂは、光ディスク１２の保持時にセンターホール１２Ｈの外周部（本実施形態では、非記録領域）を支持する。
【００５８】
これにより、ディスクカートリッジ不使用時に光ディスク１２が保持された状態では、光ディスク１２の記録面１２Ａ全体が面接触するのではなく、光ディスクの外周部１２Ｄ及びセンターホール１２Ｈの外周部がインナロータ６０の凸部６０Ａ、６０Ｂに支持されることとなるので、記録面１２Ａの大部分が非接触状態となり、記録面が傷付くのを防止できる。
【００５９】
次に、ディスクカートリッジの第５の実施形態を図９及び図１０に基づき説明する。第１〜第４の実施形態では、光ディスク１２は、平板の円盤状とされている場合について説明したが、第５の実施形態は、光ディスク１２の記録面１２Ａが、センターホール１２Ｈの外周部の非記録領域に凸状のスタックリブ６４を有する形態である。なお、第５の実施形態に係るディスクカートリッジの構成は、光ディスク１２の記録面１２Ａにおいて、センターホール１２Ｈの外周部の非記録領域に凸状のスタックリブ６４を形成した点が特徴であり、他の構成については、第１の実施形態とほぼ同様の構成であるので、同一符号を付して説明を省略する。
【００６０】
図９には、本実施形態に係るディスクカートリッジに収納されている光ディスク６２を記録面１２Ａ側から見た斜視図が示されている。図９に示すように、センターホール１２Ｈの外周部の非記録領域には、凸状のスタックリブ６４が形成されている。
【００６１】
図１０に示すように、ディスクカートリッジ不使用時に光ディスク６２が保持された状態では、光ディスク６２のスタックリブ６４がシャッター２６、２８と接触するため、光ディスク６２がシャッター２６、２８と同じ方向に多少反ったとしても、記録面１２Ａの記録領域を非接触状態に保つことができ、記録面１２Ａの記録領域が傷付くのを防止できる。また、光ディスク６２にスタックリブ６４を設けることで、センターホール１２Ｈから埃が進入するのを防止することができる。
【００６２】
なお、図１０では、シャッター２６、２８が光ディスク６２の記録面１２Ａに対して中央が凹となる皿状に窪んで形成されているが、シャッター２６、２８は平板状であってもよい。また、シャッター２６、２８の他にインナロータ等を備えていてもよく、例えば、第２の実施形態とほぼ同じ構成のディスクカートリッジに、図９に示される光ディスク６２が収納されていてもよい。なお、インナロータ４２が、平板状であってもよい。
【００６３】
なお、第１〜第４の実施形態では、光ディスク１２が平板状の場合について、第５の実施形態では、光ディスク６２の記録面１２Ａ側にスタックリブ６４を形成した場合について説明したが、光ディスク１２、６２の記録面１２Ａが、規格で許容される範囲において中央から半径方向に向かって凹状に反っていてもよい（図示省略）。この場合、ディスクカートリッジ不使用時に光ディスク１２、６２が保持された状態では、光ディスク１２、６２の記録面１２Ａのほぼ全体がシャッター２６、２８、５２、５４等（光ディスクとシャッターとの間に他部材（例えば、インナロータ４２、６０）を備える場合には、該他部材）に面接触するのではなく、光ディスク１２、６２の外周部１２Ｄが接触することとなる。このため、記録面１２Ａの大部分が非接触状態となり、記録面１２Ａが傷付くのを防止できる。これは、シャッター２６、２８等やインナロータ４２等が平板状であっても適用できる。
【００６４】
また、下シェル１４が光ディスク１２、６２の記録面１２Ａに対して中央が凹となる皿状に窪んで形成され、光ディスク１２、６２が保持された状態で下シェル１４の外周部が光ディスク１２、６２の外周部１２Ｄと当接してもよい。
【図面の簡単な説明】
【００６５】
【図１】本発明の第１実施の形態に係るディスクカートリッジを示す分解斜視図である。
【図２】図１のディスクカートリッジのディスク保持部が光ディスクを保持した状態を示す断面図である。
【図３】図１のディスクカートリッジのディスク保持部が光ディスクを解放した状態を示す断面図である。
【図４】収納された光ディスクが保持されてシャッターが閉じた状態を示し、図１の４−４線端面に相当する端面図である。
【図５】本発明の第２実施の形態に係るディスクカートリッジを示す分解斜視図である。
【図６】本発明の第２実施の形態に係るディスクカートリッジにおいて、収納された光ディスクが保持された状態を示す端面図である。
【図７】本発明の第３実施の形態に係るディスクカートリッジを示す分解斜視図である。（上シェル及びディスク保持部材は省略してある。）
【図８】本発明の第４実施の形態に係るディスクカートリッジを示す分解斜視図である。
【図９】本発明の第５実施の形態に係るディスクカートリッジに収納されている光ディスクを示す斜視図である。
【図１０】本発明の第５実施の形態に係るディスクカートリッジにおいて、収納された光ディスクが保持されてシャッターが閉じた状態を示す端面図である。
【符号の説明】
【００６６】
１０    ディスクカートリッジ
１１    ケース
１２    光ディスク（ディスク）
１２Ａ  記録面
１２Ｄ  外周部（ディスクの外周部）
１４    下シェル（ケース）
１６    開口部、第１開口部
１８    上シェル（ケース）
２０    ディスク取出用開口部（ディスクの取出し用の開口）
２４    ディスク保持部材（ディスク保持部）
２６    シャッター
２８    シャッター
３８    ディスクカートリッジ
４２    インナロータ
４２Ｄ  支軸（軸）
４２Ｅ  支軸（軸）
４３    開口部（第２開口部）
４４    シャッター
４４Ａ  カム溝
４６    シャッター
４６Ａ  カム溝
４８    ガイド突起
５０    ガイド突起
５２    シャッター
５２Ａ  凸部
５２Ｂ  凸部
５４    シャッター
５４Ａ  凸部
５４Ｂ  凸部
５６    下シェル（ケース）
５６Ａ  凸部
６０    インナロータ
６０Ａ  凸部
６０Ｂ  凸部
６２    光ディスク（ディスク）
６４    スタックリブ
【図１】
2005116074.tif 000003
【図２】
2005116074.tif 000004
【図３】
2005116074.tif 000005
【図４】
2005116074.tif 000006
【図５】
2005116074.tif 000007
【図６】
2005116074.tif 000008
【図７】
2005116074.tif 000009
【図８】
2005116074.tif 000010
【図９】
2005116074.tif 000011
【図１０】
2005116074.tif 000012